(57)【要約】【課題】同時に視認可能な２つの表示画面を備える携帯型電子機器が同時に表示する、アプリケーションプログラムを起動するための複数のアイコンから、ユーザが所望のアイコンを選択し易くすることが可能な技術を提供する。【解決手段】携帯型電子機器１００は、第１筐体１と第２筐体２を備えている。第１筐体１には、タッチパネル機能を有する第１表示部３ａが収められている。第２筐体２には、タッチパネル機能を有する第２表示部３ｂが収められている。第１表示部３ａ及び第２表示部３ｂの表示画面４は同時に視認可能である。制御部は、表示すべきアイコンの数がしきい値よりも多い場合に、当該表示すべきアイコンの一部を同時に第１表示部３ａ及び第２表示部３ｂのどちらか一方に表示させる。【選択図】図３
2012155408.tif 000002
【特許請求の範囲】
【請求項１】
タッチパネル機能を有し、アプリケーションプログラムを起動するためのアイコンを表示する第１表示部が収められた第１筐体と、
タッチパネル機能を有し、前記アイコンを表示する第２表示部が収められた第２筐体と、
前記第１及び第２表示部の表示を制御する表示制御部と、
複数のアプリケーションプログラムを記憶する記憶部と
を備え、
前記第１及び第２表示部の表示画面は同時に視認可能であって、
前記表示制御部は、表示すべき前記アイコンの数がしきい値よりも多い場合に、同時に視認される前記第１及び第２表示部のどちらか一方に、当該表示すべき前記アイコンの一部を同時に表示させる表示制御を行う、携帯型電子機器。
【請求項２】
請求項１に記載の携帯型電子機器であって、
前記表示制御部は、前記第１及び第２表示部のうち、前記表示制御において前記アイコンを表示する表示部の表示画面に対して所定の操作が行われると、当該表示部に他の前記アイコンを表示させる、携帯型電子機器。
【請求項３】
請求項１及び請求項２のいずれか一つに記載の携帯型電子機器であって、
前記表示制御部は、前記表示制御において前記第１及び第２表示部のどちらか一方に表示する前記アイコンを、表示優先度に基づいて決定する、携帯型電子機器。
【請求項４】
請求項３に記載の携帯型電子機器であって、
前記アイコンについての前記表示優先度は、当該アイコンに対応するアプリケーションプログラムの起動頻度が高いほど高く設定される、携帯型電子機器。
【請求項５】
請求項３に記載の携帯型電子機器であって、
前記携帯型電子機器が位置する場所の種類を特定する特定部をさらに備え、
前記特定部で特定された、前記携帯型電子機器が位置する場所の種類が、特定の種類を示す場合には、当該特定の種類に応じたアプリケーションプログラムを起動するための前記アイコンについての前記表示優先度が最も高く設定される、携帯型電子機器。
【請求項６】
請求項１乃至請求項５のいずれか一つに記載の携帯型電子機器であって、
前記第１及び第２筐体のうち、ユーザが手に持つ側の筐体を特定する筐体特定部をさらに備え、
前記表示制御部は、前記表示制御において、前記第１及び第２表示部のうち、前記筐体特定部が特定した筐体に収められている表示部に前記アイコンを表示させる、携帯型電子機器。
【請求項７】
請求項１乃至請求項５のいずれか一つに記載の携帯型電子機器であって、
前記表示制御部は、前記表示制御において、前記第１及び第２表示部のうち、表示画面が操作された表示部に前記アイコンを表示させる、携帯型電子機器。
【請求項８】
携帯型電子機器であって、
タッチパネル機能を有し、アプリケーションプログラムを起動するためのアイコンを表示する第１表示部が収められた第１筐体と、
タッチパネル機能を有し、前記アイコンを表示する第２表示部が収められた第２筐体と、
前記第１及び第２表示部の表示を制御する表示制御部と、
前記アイコンについての表示優先度を、当該アイコンに対応するアプリケーションプログラムの起動頻度に基づいて決定する表示頻度決定部と、
複数のアプリケーションプログラムを記憶する記憶部と
を備え、
前記携帯型電子機器は、前記第１及び第２表示部の表示画面が同時に視認される第１状態と、前記第１及び第２表示部の表示画面のうち前記第１表示部の表示画面だけが視認される第２状態とを有し、
前記表示制御部は、表示すべき前記アイコンの数がしきい値よりも多い場合に、前記第１及び第２表示部が第１状態から第２状態に変化した際には、当該表示すべき前記アイコンの前記表示優先度に基づいて、前記第１表示部に表示させる前記アイコンを決定する、携帯型電子機器。
【請求項９】
携帯型電子機器であって、
タッチパネル機能を有し、アプリケーションプログラムを起動するためのアイコンを表示する第１表示部が収められた第１筐体と、
タッチパネル機能を有し、前記アイコンを表示する第２表示部が収められた第２筐体と、
前記第１及び第２表示部の表示を制御する表示制御部と、
前記携帯型電子機器が位置する場所の種類を特定する特定部と、
前記特定部で特定される、前記携帯型電子機器が位置する場所の種類に基づいて、前記アイコンの表示優先度を決定する表示優先度決定部と、
複数のアプリケーションプログラムを記憶する記憶部と
を備え、
前記携帯型電子機器は、前記第１及び第２表示部の表示画面が同時に視認される第１状態と、前記第１及び第２表示部の表示画面のうち前記第１表示部の表示画面だけが視認される第２状態とを有し、
前記表示制御部は、表示すべき前記アイコンの数がしきい値よりも多い場合に、前記第１及び第２表示部が第１状態から第２状態に変化した際には、当該表示すべき前記アイコンの前記表示優先度に基づいて、前記第１表示部に表示させる前記アイコンを決定する、携帯型電子機器。
【発明の詳細な説明】
【技術分野】
【０００１】
本発明は、同時に視認可能な２つの表示画面を備える携帯型電子機器に関する。
【背景技術】
【０００２】
従来から携帯型電子機器に関して様々な技術が提案されている。例えば特許文献１には、同時に視認可能な２つの表示画面を備える携帯型電子機器に関する技術が開示されている。
【先行技術文献】
【特許文献】
【０００３】
【特許文献１】特開２００５−２１８７７８号公報
【発明の概要】
【発明が解決しようとする課題】
【０００４】
さて、携帯型電子機器においては、アプリケーションプログラムを起動するためのアイコンが表示されることがある。ユーザは、携帯型電子機器に表示されるアイコンを選択することによって、当該アイコンに対応するアプリケーションプログラムを携帯型電子機器において起動することができる。特許文献１に記載されているような、同時に視認可能な２つの表示画面を備える携帯型電子機器において、アプリケーションプログラムを起動するためのアイコンを表示する場合には、一つの表示画面を備える携帯型電子機器にアイコンを表示する場合と比較して、より多くのアイコンを同時に表示することができる。したがって、同時に視認可能な２つの表示画面を備える携帯型電子機器を使用するユーザは、当該携帯型電子機器に同時に表示される複数のアイコンから、所望のアイコンを選択しにくくなる。
【０００５】
そこで、本発明は上述の点に鑑みて成されたものであり、同時に視認可能な２つの表示画面を備える携帯型電子機器が同時に表示する、アプリケーションプログラムを起動するための複数のアイコンから、ユーザが所望のアイコンを選択し易くすることが可能な技術を提供することを目的とする。
【課題を解決するための手段】
【０００６】
上記課題を解決するため、本発明に係る携帯型電子機器は、タッチパネル機能を有し、アプリケーションプログラムを起動するためのアイコンを表示する第１表示部が収められた第１筐体と、タッチパネル機能を有し、前記アイコンを表示する第２表示部が収められた第２筐体と、前記第１及び第２表示部の表示を制御する表示制御部と、複数のアプリケーションプログラムを記憶する記憶部とを備え、前記第１及び第２表示部の表示画面は同時に視認可能であって、前記表示制御部は、表示すべき前記アイコンの数がしきい値よりも多い場合に、同時に視認される前記第１及び第２表示部のどちらか一方に、当該表示すべき前記アイコンの一部を同時に表示させる表示制御を行う。
【０００７】
また、本発明に係る携帯型電子機器の一態様では、前記表示制御部は、前記第１及び第２表示部のうち、前記表示制御において前記アイコンを表示する表示部の表示画面に対して所定の操作が行われると、当該表示部に他の前記アイコンを表示させる。
【０００８】
また、本発明に係る携帯型電子機器の一態様では、前記表示制御部は、前記表示制御において前記第１及び第２表示部のどちらか一方に表示する前記アイコンを、表示優先度に基づいて決定する。
【０００９】
また、本発明に係る携帯型電子機器の一態様では、前記アイコンについての前記表示優先度は、当該アイコンに対応するアプリケーションプログラムの起動頻度が高いほど高く設定される。
【００１０】
また、本発明に係る携帯型電子機器の一態様では、前記携帯型電子機器が位置する場所の種類を特定する特定部がさらに設けられ、前記特定部で特定された、前記携帯型電子機器が位置する場所の種類が、特定の種類を示す場合には、当該特定の種類に応じたアプリケーションプログラムを起動するための前記アイコンについての前記表示優先度が最も高く設定される。
【００１１】
また、本発明に係る携帯型電子機器の一態様では、前記第１及び第２筐体のうち、ユーザが手に持つ側の筐体を特定する筐体特定部がさらに設けられ、前記表示制御部は、前記表示制御において、前記第１及び第２表示部のうち、前記筐体特定部が特定した筐体に収められている表示部に前記アイコンを表示させる。
【００１２】
また、本発明に係る携帯型電子機器の一態様では、前記表示制御部は、前記表示制御において、前記第１及び第２表示部のうち、表示画面が操作された表示部に前記アイコンを表示させる。
【００１３】
また、本発明に係る携帯型電子機器は、タッチパネル機能を有し、アプリケーションプログラムを起動するためのアイコンを表示する第１表示部が収められた第１筐体と、タッチパネル機能を有し、前記アイコンを表示する第２表示部が収められた第２筐体と、前記第１及び第２表示部の表示を制御する表示制御部と、前記アイコンについての表示優先度を、当該アイコンに対応するアプリケーションプログラムの起動頻度に基づいて決定する表示頻度決定部と、複数のアプリケーションプログラムを記憶する記憶部とを備え、前記携帯型電子機器は、前記第１及び第２表示部の表示画面が同時に視認される第１状態と、前記第１及び第２表示部の表示画面のうち前記第１表示部の表示画面だけが視認される第２状態とを有し、前記表示制御部は、表示すべき前記アイコンの数がしきい値よりも多い場合に、前記第１及び第２表示部が第１状態から第２状態に変化した際には、当該表示すべき前記アイコンの前記表示優先度に基づいて、前記第１表示部に表示させる前記アイコンを決定する。
【００１４】
また、本発明に係る携帯型電子機器は、タッチパネル機能を有し、アプリケーションプログラムを起動するためのアイコンを表示する第１表示部が収められた第１筐体と、タッチパネル機能を有し、前記アイコンを表示する第２表示部が収められた第２筐体と、前記第１及び第２表示部の表示を制御する表示制御部と、前記携帯型電子機器が位置する場所の種類を特定する特定部と、前記特定部で特定される、前記携帯型電子機器が位置する場所の種類に基づいて、前記アイコンの表示優先度を決定する表示優先度決定部と、複数のアプリケーションプログラムを記憶する記憶部とを備え、前記携帯型電子機器は、前記第１及び第２表示部の表示画面が同時に視認される第１状態と、前記第１及び第２表示部の表示画面のうち前記第１表示部の表示画面だけが視認される第２状態とを有し、前記表示制御部は、表示すべき前記アイコンの数がしきい値よりも多い場合に、前記第１及び第２表示部が第１状態から第２状態に変化した際には、当該表示すべき前記アイコンの前記表示優先度に基づいて、前記第１表示部に表示させる前記アイコンを決定する。
【発明の効果】
【００１５】
本発明によれば、ユーザが所望のアイコンを選択し易くなる。
【図面の簡単な説明】
【００１６】
【図１】本実施の形態に係る閉状態の携帯型電子機器の外観を示す斜視図である。
【図２】本実施の形態に係る閉状態の携帯型電子機器の外観を示す斜視図である。
【図３】本実施の形態に係る開状態の携帯型電子機器の外観を示す斜視図である。
【図４】本実施の形態に係る開状態の携帯型電子機器の外観を示す斜視図である。
【図５】本実施の形態に係る携帯型電子機器の電気的構成を示すブロック図である。
【図６】本実施の形態に係る携帯型電子機器の表示例を示す図である。
【図７】本実施の形態に係る携帯型電子機器の表示例を示す図である。
【図８】本実施の形態に係る携帯型電子機器の表示例を示す図である。
【図９】本実施の形態に係る携帯型電子機器の表示例を示す図である。
【図１０】本実施の形態に係る携帯型電子機器の表示例を示す図である。
【図１１】本実施の形態に係る携帯型電子機器の表示例を示す図である。
【図１２】本実施の形態に係る携帯型電子機器の表示例を示す図である。
【図１３】本実施の形態に係る携帯型電子機器の表示例を示す図である。
【図１４】本実施の形態に係る携帯型電子機器の表示例を示す図である。
【図１５】本実施の形態に係る携帯型電子機器の表示例を示す図である。
【図１６】本実施の形態に係る携帯型電子機器の表示例を示す図である。
【図１７】本実施の形態に係る携帯型電子機器の表示例を示す図である。
【図１８】本実施の形態に係る携帯型電子機器の変形例の電気的構成を示すブロック図である。
【図１９】ユーザが携帯型電子機器を右手で持つ様子を示す図である。
【図２０】ユーザが携帯型電子機器を左手で持つ様子を示す図である。
【図２１】本実施の形態に係る携帯型電子機器の変形例の外観を示す図である。
【図２２】携帯型電子機器の第１筐体がユーザによって持たれて下がっている様子を示す図である。
【図２３】携帯型電子機器の第２筐体がユーザによって持たれて下がっている様子を示す図である。
【図２４】本実施の形態に係る携帯型電子機器の変形例の表示例を示す図である。
【発明を実施するための形態】
【００１７】
図１〜４は、本実施の形態に係る携帯型電子機器１００の外観を示す斜視図である。携帯型電子機器１００は、例えば、開閉可能な携帯電話機であって、第１筐体１と第２筐体２とを備えている。図１は、閉じた状態（閉状態）の携帯型電子機器１００を第１筐体１側から見た場合の図であり、図２は、閉じた状態の携帯型電子機器１００を第２筐体２側から見た場合の図である。図３，４は、開いた状態（開状態）の携帯型電子機器１００を示している。
【００１８】
ここで、携帯型電子機器１００が閉じた状態とは、図１，２に示されるように、第１筐体１に収められた第１表示部３ａの第１表示画面４ａが視認される状態で、第１筐体１と第２筐体２とが互いに重なるように配置された状態である。この場合、第１表示画面４ａと、第２筐体２に収められた第２表示部３ｂの第２表示画面４ｂとは、間をあけて重なり合った状態となるので、両者の成す角度は０度と言うことができる。
【００１９】
一方で、携帯型電子機器１００が開いた状態とは、図３，４に示されるように、第１表示部３ａの第１表示画面４ａと、第２表示部３ｂの第２表示画面４ｂとが、同時に視認されるように、第１筐体１と第２筐体２とが重ならないように配置された状態である。図３に示される携帯型電子機器１００は、第１表示画面４ａ及び第２表示画面４ｂが１８０度を成すように、言い換えれば、同一平面上に位置するように開いている。図４に示される携帯型電子機器１００は、第１表示画面４ａ及び第２表示画面４ｂが０度よりも大きく１８０度よりも小さい角度を成すように開いている。以後、図３に示されるように、第１表示画面４ａ及び第２表示画面４ｂが同一平面上に位置する状態を「フラット状態」と呼ぶ。また、図４に示されるように、第１表示画面４ａ及び第２表示画面４ｂが０度よりも大きく１８０度よりも小さい角度を成すように開いている状態を「チルト状態」と呼ぶ。
【００２０】
第１表示部３ａは、タッチパネル機能を有しており、ユーザの第１表示画面４ａに対する操作を受け付ける操作部して機能する。同様に、第２表示部３ｂは、タッチパネル機能を有しており、ユーザの第２表示画面４ｂに対する操作を受け付ける操作部として機能する。以後、第１表示部３ａ及び第２表示部３ｂを特に区別する必要がない場合には、それぞれを「表示部３」と呼び、それぞれの表示画面を「表示画面４」と呼ぶ。
【００２１】
第１筐体１と第２筐体２とは、ヒンジ部９及びアーム部１０によって連結されている。ヒンジ部９は、第２筐体２に設けられている。アーム部１０は、第２筐体２に対して角度変更可能となるようにヒンジ部９に接続されている。また、アーム部１０は、第１筐体１に対して角度変更可能となるように当該第１筐体１に接続されている。携帯型電子機器１００では、ヒンジ部９及びアーム部１０の働きによって、図１，２の閉状態から、図４のチルト状態に遷移することができ、図４のチルト状態から図３のフラット状態に遷移することができる。また、携帯型電子機器１００では、ヒンジ部９及びアーム部１０の働きによって、図３のフラット状態から図４のチルト状態へ、図４のチルト状態から図１，２の閉状態へ遷移することが可能である。なお、第１筐体１と第２筐体２との連結手段は、ヒンジ部９及びアーム部１０から成る連結手段に限らず、他の構成の連結手段を使用して第１筐体１及び第２筐体２を連結しても良い。
【００２２】
第１筐体１には、第１表示部３ａ以外にも、音出力部７、音声入力部８及びユーザ操作を受け付ける第１操作部１６が設けられている。音出力部７はスピーカを有しており、音声入力部８はマイクを有している。
【００２３】
第１操作部１６は、ホームキー１６ａ、オプションキー１６ｂ及びバックキー１６ｃを備えている。これらのキーは、第１筐体１における、第１表示画面４ａ側の主面に設けられており、それぞれユーザの押下操作を受け付ける。ホームキー１６ａは、第１表示画面４ａに、後述するホーム画面を表示するための操作ボタンである。オプションキー１６ｂは、アプリケーションプログラムが実行されている際に、オプション機能を実行するためのメニュー画面を表示するための操作ボタンである。バックキー１６ｃは、第１表示画面４ａの表示を一つ前の表示に戻すための操作ボタンである。
【００２４】
第２筐体２には、第２表示部３ｂ以外にも、ユーザの操作を受け付ける第２操作部１７及び第３操作部６が設けられている。第２操作部１７は、第１操作部１６と同様に、ホームキー１７ａ、オプションキー１７ｂ及びバックキー１７ｃを備えている。これらのキーは、第２筐体１における、第２表示画面４ｂ側の主面に設けられており、それぞれユーザの押下操作を受け付ける。ホームキー１７ａ、オプションキー１７ｂ及びバックキー１７ｃの機能は、第１操作部１６のホームキー１６ａ、オプションキー１６ｂ及びバックキー１６ｃの機能と同様である。
【００２５】
第３操作部６は、複数の操作ボタン６ａ〜６ｄを備えている。複数の操作ボタン６ａ〜６ｄのそれぞれは、第２筐体２の側面に設けられており、ユーザの押下操作を受け付ける。
【００２６】
＜電気的構成＞
図５は携帯型電子機器１００の電気的構成を示すブロック図である。図５に示されるように、携帯型電子機器１００は、上述の第１表示部３ａ、第２表示部３ｂ、第１操作部１６、第２操作部１７、第３操作部６、音出力部７及び音声入力部８以外にも、無線通信部１１と、制御部１２と、記憶部１３と、電池１４とを備えている。
【００２７】
制御部１２は、ＣＰＵ（Central Processing Unit）及びＤＳＰ（Digital Signal Processor）などで構成されており、携帯型電子機器１００の他の構成要素を制御することによって、携帯型電子機器１００の動作を統括的に管理する。また、制御部１２は、第１表示部３ａ、第２表示部３ｂ、第１操作部１６、第２操作部１７及び第３操作部６が受け付けたユーザ操作に応じて、各種動作を行う。
【００２８】
記憶部１３は、ＲＯＭ（Read Only Memory）及びＲＡＭ（Random Access Memory）等で構成されている。記憶部１３には、ＯＳプログラム（図示せず）及び複数のアプリケーションプログラム１３０等が記憶されている。アプリケーションプログラム１３０（以後、単に「アプリケーション１３０」と呼ぶ）としては、例えば、音声通信を行うための通話プログラム、電子メールの送受信を行うための電子メールプログラム、ウェブサイトを表示するためのブラウザ、地図を表示するための地図表示プログラム、電車の時刻表を表示するための時刻表表示プログラム、電子マネーによる決裁サービスを受けるための電子マネープログラムなどがある。制御部１２の各種機能は、制御部１２のＣＰＵ及びＤＳＰが記憶部１３内の各種プログラムを実行することによって実現される。
【００２９】
無線通信部１１は、携帯型電子機器１００とは別の携帯電話機や、インターネットに接続されたウェブサーバ等の通信装置からの信号を、図示しない基地局を通じてアンテナ１１ａで受信する。無線通信部１１は、受信信号に対して増幅処理やダウンコンバートを行って制御部１２に出力する。制御部１２は、入力された受信信号に対して復調処理等を行って、当該受信信号に含まれる、音声データ、画像データ等の各種データを取得する。また無線通信部１１は、制御部１２で生成された、音声データ等を含む送信信号に対してアップコンバートや増幅処理を行って、処理後の送信信号をアンテナ１１ａを通じて、携帯型電子機器１００とは別の携帯電話機や、インターネットに接続された通信装置に向けて無線送信する。
【００３０】
音出力部７は、制御部１２からの音声データや音楽データ等の音データを音に変換して外部に出力する。音声入力部８は、外部から入力される音声を音声データに変換して制御部１２に出力する。
【００３１】
第１表示部３ａと第２表示部３ｂとは同様の構成を有している。各表示部３は、例えば、カラー表示を行うバックライト方式の液晶表示部であって、液晶表示パネルと、それに光を照射するバックライトとを備えている。各表示部３は、制御部１２による制御によって、文字、記号、図形などの各種情報を表示する。なお、表示部３は、液晶表示部以外の表示部であっても良い。例えば、表示部３は、有機ＥＬディスプレイであっても良いし、複数のＬＥＤがマトリックス状に配列された表示部であっても良い。
【００３２】
電池１４は、携帯型電子機器１００の電源を生成する。電池１４で生成された電源は、携帯型電子機器１００が備える無線通信部１１及び制御部１２などに含まれる各電子部品に対して供給される。
【００３３】
＜アイコン表示＞
本実施の形態に係る携帯型電子機器１００では、各表示部３が、制御部１２による制御によって、記憶部１３が記憶するアプリケーション１３０を起動するためのアイコン（以後、「アプリアイコン」と呼ぶ）を表示することが可能となっている。
【００３４】
本実施の形態では、記憶部１３が記憶する、すべてのアプリケーション１３０に対応するアプリアイコンが表示されるとは限らない。本実施の形態では、アプリケーション１３０の起動を制限することが可能であり、起動が制限されたアプリケーション１３０に対応するアプリアイコンは表示されないようになっている。ユーザは、第１表示画面４ａあるいは第２表示画面４ｂに対して操作を行うことによって、所望のアプリケーション１３０の起動を制限することができる。以後、特に断らない限り、アプリアイコンと言えば、起動が制限されていないアプリケーション１３０に対応するアプリアイコン、つまり、携帯型電子機器１００が表示すべきアプリアイコンを意味するものとする。
【００３５】
図６は、開状態（フラット状態あるいはチルト状態）の携帯型電子機器１００が表示するホーム画面（初期画面）の一例を示す図である。図６においては、携帯型電子機器１００の構造が簡略化されて示されている。以後の図面においても、携帯型電子機器１００の構造については簡略化して示すものとする。
【００３６】
第１操作部１６のホームキー１６ａと、第２操作部１７のホームキー１７ａとが操作されると、第１表示画面４ａ及び第２表示画面４ｂにわたってホーム画面が表示される。
【００３７】
図６の例では、ホーム画面を表示する第１表示部３ａ及び第２表示部３ｂのそれぞれにおいて、複数のアプリアイコン２００が表示されている。各表示部３に表示されているモード切り替えボタン２１０については後で詳細に説明する。
【００３８】
表示部３に表示されている、あるアプリアイコン２００に対してユーザが選択操作を行うと、制御部１２は、当該アプリアイコン２００に対応するアプリケーション１３０を記憶部１３から読み出して実行する。これにより、ユーザによって選択されたアプリアイコン２００に対応するアプリケーション１３０が起動する。アプリアイコン２００に対する選択操作としては、例えば、表示画面に接触してすぐに離す操作であるタップなどが考えられる。
【００３９】
例えば、通話プログラムに対応するアプリアイコン２００が選択されると、制御部１２は、記憶部１３内から通話プログラムを読み出して実行する。通話プログラムが起動されると、無線通信部１１は、制御部１２による制御によって、他の携帯電話機等と音声通信を行う。
【００４０】
また、電子メールプログラムに対応するアプリアイコン２００が選択されると、制御部１２は、記憶部１３内から電子メールプログラムを読み出して実行する。電子メールプログラムが起動されると、無線通信部１１は、制御部１２による制御によって、他の携帯電話機等に対して電子メールを送信したり、他の携帯電話機等からの電子メールを受信したりする。
【００４１】
また、ブラウザに対応するアプリアイコン２００が選択されると、制御部１２は、記憶部１３内からブラウザを読み出して実行する。ブラウザが起動されると、無線通信部１１は、制御部１２による制御によってウェブサーバとの通信を行い、無線通信部１１がウェブサーバから受信したウェブページが、制御部１２による制御によって、第１表示部３ａ及び第２表示部３ｂにわたって表示される。
【００４２】
また、地図表示プログラムに対応するアプリアイコン２００が選択されると、制御部１２は、記憶部１３内から地図表示プログラムを読み出して実行する。地図表示プログラムが起動されると、制御部１２は、記憶部１３内の地図情報に基づいて、第１表示部３ａ及び第２表示部３ｂにわたって地図を表示する。
【００４３】
また、時刻表表示プログラムに対応するアプリアイコン２００が選択されると、制御部１２は、記憶部１３内から時刻表表示プログラムを読み出して実行する。時刻表表示プログラムが起動されると、制御部１２は、記憶部１３内の時刻表情報に基づいて、第１表示部３ａ及び第２表示部３ｂにわたって時刻表を表示する。
【００４４】
また、電子マネープログラムに対応するアプリアイコン２００が選択されると、制御部１２は、記憶部１３内から電子マネープログラムを読み出して実行する。電子マネープログラムが起動されると、制御部１２は、第１表示部３ａ及び第２表示部３ｂに電子マネーによる決裁サービスを受けるための画面を表示する。
【００４５】
なお、携帯型電子機器１００が閉状態で使用される場合には、ユーザが視認可能な第１表示画面４ａだけに、アプリアイコン２００が示されたホーム画面が表示されるようになる。
【００４６】
図６に示されるように、開状態の携帯型電子機器１００では、第１表示画面４ａ及び第２表示画面４ｂの両方にアプリアイコン２００を表示することが可能であることから、開状態の携帯型電子機器１００には多くのアプリアイコン２００を同時に表示することができる。携帯型電子機器１００が多くのアプリアイコン２００を同時に表示する場合には、ユーザは、所望のアプリアイコン２００を選択しにくいことがある。
【００４７】
そこで、本実施の形態では、携帯型電子機器１００が、同時に表示するアプリアイコン２００の数を制限することを可能にし、それによって、ユーザが、所望のアプリアイコン２００を選択し易くしている。以下に、携帯型電子機器１００でのこの処理について詳細に説明する。
【００４８】
各表示部３の表示を制御する表示制御部として機能する制御部１２は、同時に表示するアプリアイコン２００の数を制限する表示アイコン数制限モードと、同時に表示するアイコン２００の数を制限しないアイコン通常表示モードとを備えている。
【００４９】
＜アイコン通常表示モード＞
アイコン通常表示モードでは、アプリアイコン２００は、例えば図７に示されるように、第２表示画面４ｂの下端部（ユーザから見て下方の端部）から表示される。そして、無線通信部１１による、外部装置からのアプリケーション１３０のダウンロード等によって、アプリアイコン２００の数が増加し、第２表示画面４ｂに表示することが可能なアプリアイコン２００の数（本例では２０個）を超えると、上述の図６に示されるように、第２表示画面４ｂに表示できないアプリアイコン２００は、第１表示画面４ａの下端部から表示されるようになる。
【００５０】
その後、アプリアイコン２００の数がさらに増加して、それらのすべてを、第１表示画面４ａ及び第２表示画面４ｂに同時に表示できなくなると（本例では、アプリアイコン２００の数が４０個を超えると）、その表示できないアプリアイコン２００は、第１表示部３ａ及び第２表示部３ｂが表示するホーム画面のページを切り替えることによって、表示される。本実施の形態では、第１表示画面４ａあるいは第２表示画面４ｂを操作することによって、第１表示部３ａ及び第２表示部３ｂが表示するホーム画面のページを切り替えることができる。
【００５１】
例えば、図８に示されるように、各表示画面４において最大数のアプリアイコン２００が表示されている状態において、ユーザが第２表示画面４ｂに指３００を接触させた状態で当該指３００を左方向（ユーザから見て左方向）に払う操作（フリック）を行うと、図９に示されるように、ホーム画面のページが次のページに切り替わり、最初のページでは表示されなかったアプリアイコン２００が次のページに示されるようになる。図９の例では、最初のページでは表示されなかったアプリアイコン２００の数が２０個以下の１０個であるため、次のページでは、１０個のアプリアイコン２００が第２表示部３ｂだけに表示されている。
【００５２】
同様にして、ユーザが第１表示画面４ａに指を接触させた状態で当該指を左方向に払う操作を行った場合にも、第１表示部３ａ及び第２表示部３ｂが表示するホーム画面のページが次のページに切り替わり、最初のページでは表示されなかったアプリアイコン２００が次のページに示されるようになる。
【００５３】
このように、本実施の形態では、アプリアイコン２００の数が、携帯型電子機器１００が一度に表示できる数（本例では４０個）よりも多い場合であっても、携帯型電子機器１００が表示するホーム画面のページを切り替えることによって、すべてのアプリアイコン２００を表示することが可能となっている。
【００５４】
なお、アプリアイコン２００の表示位置はユーザによって変更することが可能である。ユーザは、表示画面４に表示されている、あるアプリアイコン２００の表示位置を変更する場合には、当該アプリアイコン２００に対して指を接触させた状態で、当該表示画面４においてアプリアイコン２００が表示されていない領域に当該指を移動させる。これにより、当該指の移動先に当該アプリアイコン２００が表示されるようになる。また、ユーザが、ホーム画面のあるページに示されているアプリアイコン２００に対して指を接触させた状態で、当該ページの右端に当該指を移動させると、当該アプリアイコン２００は次のページに示されるようになる。
【００５５】
＜表示アイコン数制限モード＞
上述の図６〜９に示されるように、ホーム画面を表示する第１表示部３ａ及び第２表示部３ｂのそれぞれは、自身の表示画面４にモード切り替えボタン２１０を表示する。アイコン通常表示モードで動作する制御部１２は、第１表示部３ａ及び第２表示部３ｂが表示するモード切り替えボタン２１０のどちらか一方が操作されると、表示アイコン数制限モードで動作するようになる。
【００５６】
表示アイコン数制限モードでは、制御部１２は、現在のアプリアイコン２００の数と、所定のしきい値とを比較する。このしきい値は、例えば、一つの表示部３が表示することが可能なアプリアイコン２００の数（本例では２０個）以下に設定される。本実施の形態では、しきい値＝８（２行で表示できる数）とする。
【００５７】
制御部１２は、アプリアイコン２００の数がしきい値以下の場合には、第１表示部３ａ及び第２表示部３ｂのうち、ユーザによって操作されたモード切り替えボタン２１０を表示する表示部３だけに、アプリアイコン２００のすべてを同時に表示させる。このとき、各表示部３には、アイコン通常表示モードと同様に、モード切り替えボタン２１０が表示される。したがって、制御部１２がアイコン通常表示モードで動作している携帯型電子機器１００が上述の図７のような表示を行っている場合に、第２表示部３ｂが表示するモード切り替えボタン２１０が操作されると、第１表示部３ａ及び第２表示部３ｂの表示は変化しないことになる。一方で、制御部１２がアイコン通常表示モードで動作している携帯型電子機器１００が図７のような表示を行っている場合に、第１表示部３ａが表示するモード切り替えボタン２１０が操作されると、図１０に示されるように、アプリアイコン２００が第１表示部３ａだけに表示されるようになる。
【００５８】
制御部１２は、アプリアイコン２００の数がしきい値よりも多い場合には、第１表示部３ａ及び第２表示部３ｂのうち、ユーザによって操作されたモード切り替えボタン２１０を表示する表示部３だけに、アプリアイコン２００の一部を同時に表示させる。本実施の形態では、ユーザによって操作されたモード切り替えボタン２１０を表示する表示部３だけに、しきい値と同じ数のアプリアイコン２００を同時に表示する。
【００５９】
例えば、制御部１２がアイコン通常表示モードで動作している携帯型電子機器１００が上述の図６のような表示を行っている場合に、第２表示部３ｂが表示するモード切り替えボタン２１０が操作されると、表示すべきアプリアイコン２００のうち、８個のアプリアイコン２００が、図７のように、第２表示部３ｂだけに同時に表示される。また、制御部１２がアイコン通常表示モードで動作している携帯型電子機器１００が上述の図６のような表示を行っている場合に、第１表示部３ａが表示するモード切り替えボタン２１０が操作されると、表示すべきアプリアイコン２００のうち、８個のアプリアイコン２００が、図１０のように、第１表示部３ａだけに同時に表示される。
【００６０】
なお、アプリアイコン２００の数がしきい値よりも多い場合には、ユーザによって操作されたモード切り替えボタン２１０を表示する表示部３だけに、しきい値よりも少ない数のアプリアイコン２００を同時に表示しても良い。
【００６１】
表示すべきアプリアイコン２００のうち、残りのアプリアイコン２００については、ホーム画面をスクロールすることによって表示することができる。例えば、図１１に示されるように、ユーザが、２行分（８個）のアプリアイコン２００を表示する第１表示画面４ａに指３００を接触させた状態で当該指３００を上側に移動させる。そうすると、ホーム画面が上側にスクロールして、図１２に示されるように、第１表示画面４ａの下端部に次の行のアプリアイコン２００が表示されるようになる。ユーザが、第１表示画面４ａに触れた指３００をさらに上側に移動させると、ホーム画面が上側にスクロールして、表示されてないアプリアイコン２００があれば、第１表示画面４ａの下端部にさらに次の行のアプリアイコン２００が表示されるようになる。図１１，１２では、ホーム画面がスクロールする様子が理解できるように、行ごとにアプリアイコン２００に示すハッチングを変えている。なお、ユーザが、第１表示画面４ａに触れた指３００を下側に移動させると、ホーム画面が下側にスクロールするようになる。
【００６２】
このように、本実施の形態では、表示すべきアプリアイコン２００の数がしきい値よりも多い場合において、制御部１２のモードが、アイコン通常表示モードから表示アイコン数制限モードに切り替わった際には、表示すべきアプリアイコン２００のうちの一部のアプリアイコン２００が一つの表示部３に同時に表示される。そして、当該表示部３の表示画面４を操作してホーム画面をスクロールすることによって、表示すべきアプリアイコン２００のすべてを当該表示部３に表示することが可能となる。
【００６３】
また、本実施の形態では、制御部１２が表示アイコン数制限モードで動作する場合において、ホーム画面が表示されなくなり、第１操作部１６及び第２操作部１７が操作される等によって、再度、ホーム画面が表示される際には、制御部１２は、アプリアイコン２００としきい値とをあらためて比較する。そして、アプリアイコン２００の数がしきい値以下の場合には、制御部１２は、上述と同様に、自身のモードが表示アイコン数制限モードに切り替わる際に操作されたモード切り替えボタン２１０を表示する表示部３に、アプリアイコン２００のすべてを同時に表示させる。一方で、アプリアイコン２００の数がしきい値よりも多い場合には、制御部１２は、上述と同様に、自身のモードが表示アイコン数制限モードに切り替わる際に操作されたモード切り替えボタン２１０を表示する表示部３に、アプリアイコン２００の一部を同時に表示させる。
【００６４】
また、本実施の形態では、制御部１２が表示アイコン数制限モードで動作し、かつ携帯型電子機器１００がホーム画面を表示している状態において、アプリアイコン２００の数が変化すると、制御部１２は、アプリアイコン２００の数としきい値とをあらためて比較する。そして、アプリアイコン２００の数がしきい値以下の場合には、制御部１２は、上述と同様に、アプリアイコン２００のすべてを同時に一つの表示部３に表示させる。一方で、アプリアイコン２００の数がしきい値よりも多い場合には、制御部１２は、上述と同様に、アプリアイコン２００の一部を同時に一つの表示部３に表示させる。
【００６５】
また、本実施の形態では、制御部１２が表示アイコン数制限モードで動作し、かつ携帯型電子機器１００がホーム画面を表示している状態において、アプリアイコン２００を表示している表示部３とは別の表示部３の表示画面４がユーザによって操作された場合には、制御部１２は、アプリアイコン２００を、当該別の表示部３に表示するようになる。例えば、図１０に示されるように、第１表示部３ａがアプリアイコン２００を表示している際には、第２表示部３ｂの第２表示画面４ｂが操作されると、アプリアイコン２００を表示する表示部３が切り替わって、図７に示されるように、アプリアイコン２００は、第２表示部３ｂに表示されるようになる。
【００６６】
また、本実施の形態では、制御部１２が表示アイコン数制限モードで動作している場合において、ホーム画面を表示する第１表示部３ａ及び第２表示部３ｂが表示するモード切り替えボタン２１０のどちらか一方が操作されると、制御部１２は、アイコン通常表示モードで動作するようになる。
【００６７】
なお、上記の例では、ホーム画面をスクロールすることによって、表示すべきアプリアイコン２００のすべてを表示することができるようにしているが、アイコン通常表示モードと同様に、ホーム画面のページを切り替えることによって、表示すべきアプリアイコン２００のすべてを表示することができるようにしても良い。
【００６８】
例えば、図１３に示されるように、ユーザが、第１表示画面４ａに対して左方向にフリックを行うと、ホーム画面のページが次のページに切り替わり、図１４に示されるように、最初のページでは表示されなかったアプリアイコン２００が次のページに示されるようになる。図１３，１４では、ホーム画面のページが切り替わる様子が理解できるように、ホーム画面のページごとにアプリアイコン２００に示すハッチングを変えている。本例では、ホーム画面の最初のページ以外のページにおいては、最大で８個のアプリアイコン２００が表示される。したがって、ページを切り替えた際に、残りのアプリアイコン２００の数が８個以上の場合には、図１４に示されるように、８個のアプリアイコン２００が表示部３に表示され、残りのアプリアイコン２００の数が８個よりも少ない場合には、８個よりも少ない数のアプリアイコン２００が表示部３に表示される。
【００６９】
以上のように、本実施の形態に係る表示アイコン数制限モードでは、アプリアイコン２００の数がしいき値よりも多くなると、その一部が同時に、第１表示部３ａ及び第２表示部３ｂのうちの一方の表示部３だけに表示される。したがって、ユーザは所望のアプリアイコン２００を選択し易くなる。
【００７０】
＜表示アイコン数制限モードで表示するアプリアイコンの決定方法＞
次に、表示アイコン数制限モードにおいて、アプリアイコン２００の数がしきい値よりも多い際に、表示部３に同時に表示する複数のアプリアイコン２００の決定方法について説明する。
【００７１】
本実施の形態では、制御部１２は、表示すべき各アプリアイコン２００に対して、表示優先度を設定する。そして、制御部１２は、表示アイコン数制限モードにおいて、アプリアイコン２００の数がしきい値よりも多い場合には、表示優先度が高いアプリアイコン２００から順に表示部３に表示する。
【００７２】
表示アイコン数制限モードで動作する制御部１２は、アプリアイコン２００としきい値とを比較した結果、アプリアイコン２００がしきい値よりも多い場合には、表示すべき複数のアプリアイコン２００のうち、表示優先度が高いものから順に８個のアプリアイコン２００を選択し、当該８個のアプリアイコン２００を表示部３に表示する。図１５は、当該８個のアプリアイコン２００を第１表示部３ａが表示している様子を示す図である。図１５及び後述の図１６，１７，２４では、アプリアイコン２００の表示優先度を、当該アプリアイコン２００を示す四角形内に示している。本実施の形態では、表示優先度を示す数字が小さいほど、表示優先度が高くなっている。
【００７３】
図１５に示される第１表示画面４ａに対して、ユーザが指を接触させた状態で当該指を上側に移動させると、ホーム画面が上側にスクロールして、第１表示画面４ａには、残りのアプリアイコン２００のうち、表示優先度が高いアプリアイコン２００が表示されるようになる。図１６は、図１５に示されるホーム画面が上側にスクロールして、次に表示優先度が高い３つのアプリアイコン２００が第１表示部３ａに表示されている様子を示す図である。このように、ホーム画面を上側にスクロールさせることによって、表示すべき複数のアプリアイコン２００が、表示優先度が高いものから順に表示されるようになる。
【００７４】
なお、上述の図１３，１４に示されるように、ホーム画面のページを切り替えることによって、表示すべきアプリアイコン２００のすべてが表示可能な場合には、ホーム画面のページを切り替えることによって、表示すべき複数のアプリアイコン２００が、表示優先度が高いものから順に表示されるようになる。図１７は、図１５に示される第１表示画面４ａに対してユーザが左方向にフリックすることによって、ホーム画面の次のページが第１表示画面４ａに表示されている様子を示す図である。
【００７５】
＜表示優先度の決定方法＞
各アプリアイコン２００の表示優先度については、様々な観点から決定することができる。以下に、表示優先度を決定する方法についての複数の例を説明する。
【００７６】
＜第１の例＞
本例においては、アプリアイコン２００についての表示優先度を、アプリアイコン２００に対応するアプリケーション１３０の起動頻度が高いほど高く設定する。この場合には、制御部１２は、各アプリケーション１３０についての起動頻度を示す起動頻度リストを作成して記憶部１３に記憶する。制御部１２は、アプリケーション１３０が起動されると、記憶部１３内の起動頻度リストを更新する。そして、制御部１２は、ホーム画面を表示部３に表示させる際には、起動頻度リストを参照して、起動頻度が高いアプリケーション１３０に対応するアプリアイコン２００ほど、その表示優先度を高く設定する。つまり、制御部１２は、アプリアイコン２００の表示優先度を、当該アプリアイコン２００に対応するアプリケーション１３０の起動頻度に基づいて決定する起動頻度決定部として機能する。例えば、制御部１２は、電子メールプログラム、ブラウザ、通話プログラム、地図表示プログラム、時刻表表示プログラム、電子マネープログラムの順で起動頻度が高い場合には、それらのアプリケーション１３０に対応するアプリアイコン２００の表示優先度を、この順で高くなるように設定する。
【００７７】
このように、アプリアイコン２００についての表示優先度を、アプリアイコン２００に対応するアプリケーション１３０の起動頻度が高いほど高く設定することによって、ホーム画面においては、対応するアプリケーション１３０の起動頻度が高いアプリアイコン２００が最初に示されるようになる。よって、ユーザは、選択する頻度が高いアプリアイコン２００を選択し易くなる。
【００７８】
＜第２の例＞
本例においては、携帯型電子機器１００が位置する場所の種類が、特定の種類を示す場合には、当該特定の種類に応じたアプリケーション１３０を起動するためのアプリアイコン２００についての表示優先度を最も高く設定する。この場合には、図１８に示されるように、携帯型電子機器１００には、その位置を求める位置取得部１５が設けられる。位置取得部１５は、例えば、ＧＰＳ（Global Positioning System）における複数の衛星からの信号を受信し、受信信号に基づいて携帯型電子機器１００の位置を算出するＧＰＳ受信機で構成されている。そして、制御部１２は、位置取得部１５で取得された、携帯型電子機器１００の位置と、記憶部１３内の地図情報とに基づいて、携帯型電子機器１００が位置する場所の種類を特定する。制御部１２は、例えば、携帯型電子機器１００が位置する場所の種類が「駅」であることを特定したり、「コンビニエンスストア」であることを特定したりする。
【００７９】
このように、位置取得部１５と制御部１２は、携帯型電子機器１００が位置する場所の種類を特定する特定部として機能する。
【００８０】
また、記憶部１３には、場所の種類と、その場所の種類において起動される可能性が高いであろうアプリケーション１３０とが対応付けられて記述されたテーブルが記憶される。このテーブルにおいては、例えば、「駅」と「時刻表表示プログラム」とが対応付けられており、「コンビニエンスストア」と「電子マネープログラム」とが対応付けられている。
【００８１】
制御部１２は、携帯型電子機器１００が位置する場所の種類が、記憶部１３内のテーブルに記述されている場所の種類に該当すると、当該場所の種類に応じたアプリケーション１３０に対応するアプリアイコン２００の表示優先度を最も高くする。例えば、制御部１２は、携帯型電子機器１００が位置する場所の種類が、記憶部１３内のテーブルに記述されている「駅」に該当すると、「駅」に対応付けられている時刻表表示プログラムに対応するアプリアイコン２００の表示優先度を最も高くする。また、制御部１２は、携帯型電子機器１００が位置する場所の種類が、記憶部１３内のテーブルに記述されている「コンビニエンスストア」に該当すると、「コンビニエンスストア」に対応付けられている電子マネープログラムに対応するアプリアイコン２００の表示優先度を最も高くする。これにより、携帯型電子機器１００を所持するユーザが、現在位置する場所において選択する可能性が高いであろうアプリアイコン２００を、当該携帯型電子機器１００に表示することが可能となる。よって、ユーザは、所望のアプリアイコン２００を選択し易くなる。
【００８２】
なお、表示すべきアプリアイコン２００のうち、携帯型電子機器１００が位置する場所の種類に応じたアプリケーション１３０に対応するアプリアイコン２００以外のアプリアイコン２００の表示優先度については、互いに同じとしても良いし、上述のように、アプリアイコン２００に対応するアプリケーション１３０の起動頻度が高いほど高くしても良い。
【００８３】
このように、本例においては、制御部１２及び記憶部１３は、携帯型電子機器１００が位置する場所の種類に基づいて、アプリアイコン２００の表示優先度を決定する表示優先度決定部として機能する。
【００８４】
上記の例では、場所の一つの種類に対して一つのアプリケーション１３０を対応付けたが、複数のアプリケーション１３０を対応付けても良い。例えば、「駅」においては、電子メールプログラムが起動される可能性も高いことから、「駅」に対して、「時刻表表示プログラム」と「電子メールプログラム」を対応付けても良い。
【００８５】
＜第３の例＞
本例においては、各アプリアイコン２００の表示優先度をユーザが設定することができるようになっている。具体的には、ユーザは、第１表示部３ａ及び第２表示部３ｂのうちの少なくとも一方の表示画面４を操作することによって、各アプリアイコン２００の表示優先度を設定できるようになっている。ユーザによって設定された表示優先度は記憶部１３に記憶される。表示アイコン数制限モードで動作する制御部１２は、記憶部１３内の各アプリアイコン２００についての表示優先度を参照し、表示優先度が高いアプリアイコン２００を表示部３に表示する。
【００８６】
＜各種変形例＞
以下に、本実施の形態についての様々な変形例について説明する。
【００８７】
＜第１の変形例＞
上述の表示アイコン数制限モードにおいては、第１筐体１及び第２筐体２のうち、ユーザが手に持つ側の筐体に収められている表示部３にアプリアイコン２００を表示しても良い。
【００８８】
例えば、制御部１２がアイコン通常表示モードで動作している場合において、一方の表示部３が表示するモード切り替えボタン２１０が操作された際には、当該一方の表示部３にアプリアイコン２００を必ず表示するのではなく、当該モード切り替えボタン２１０が操作された際に、第１筐体１及び第２筐体２のうち、ユーザが手で持つ側の筐体に収納されている表示部３にアプリアイコン２００を表示する。
【００８９】
また、制御部１２が表示アイコン数制限モードで動作する場合において、ホーム画面が表示されなくなり、第１操作部１６及び第２操作部１７が操作される等によって、再度、ホーム画面が表示される際には、そのときにユーザが手で持つ側の筐体に収納されている表示部３にアプリアイコン２００を表示する。
【００９０】
そして、制御部１２が表示アイコン数制限モードで動作し、かつ携帯型電子機器１００がホーム画面を表示している状態において、ユーザが持つ筐体が変化した場合には、ユーザがあらたに持つ側の筐体に収納されている表示部３にアプリアイコン２００を表示する。
【００９１】
このように、第１筐体１及び第２筐体２のうち、ユーザが手に持つ側の筐体に収められている表示部３にアプリアイコン２００を表示することによって、ユーザは携帯型電子機器１００を持つ側の手でアプリアイコン２００を選択し易くなる。図１９に示されるように、ユーザが第１筐体１を右手４００ａで持つ際には、第１筐体１に収められている第１表示部３ａにアプリアイコン２００が表示されることから、ユーザは、アプリアイコン２００を、携帯型電子機器１００を持つ右手４００ａで選択し易くなる。また、図２０に示されるように、ユーザが第２筐体２を左手４００ｂで持つ際には、第２筐体２に収められている第２表示部３ｂにアプリアイコン２００が表示されることから、ユーザは、アプリアイコン２００を、携帯型電子機器１００を持つ左手４００ｂで選択し易くする。
【００９２】
第１筐体１及び第２筐体２のうち、ユーザが手で持つ側の筐体を特定するためには、図２１に示されるように、例えば、第１筐体１に取り付けられた第１照度センサー１８と、第２筐体２に取り付けられた第２照度センサー１９とを設ける。第１照度センサー１８及び第２照度センサー１９のそれぞれは、その周囲の明るさを検出する。
【００９３】
第１照度センサー１８は、開状態の携帯型電子機器１００において、第１表示画面４ａと第２表示画面４ｂとが並ぶ方向５００における、第２筐体２側とは反対側の第１筐体１の側面１ａに取り付けられている。第２照度センサー１９は、開状態の携帯型電子機器１００において、第１表示画面４ａと第２表示画面４ｂとが並ぶ方向５００における、第１筐体１側とは反対側の第２筐体２の側面２ａに取り付けられている。この側面２ａには、上述の第３操作部６も設けられている。
【００９４】
図１９に示されるように、ユーザが右手４００ａで第１筐体１を持つ場合には、第１照度センサー１８で検出される明るさは小さくなることから、制御部１２は、第１照度センサー１８で検出される明るさがしきい値よりも小さい場合には、ユーザが第１筐体１を持っていると判断する。
【００９５】
一方で、図２０に示されるように、ユーザが左手４００ｂで第２筐体２を持つ場合には、第２照度センサー１９で検出される明るさは小さくなることから、制御部１２は、第２照度センサー１９で検出される明るさがしきい値よりも小さい場合には、ユーザが第２筐体２を持っていると判断する。
【００９６】
このように、第１照度センサー１８、第２照度センサー１９及び制御部１２は、第１筐体１及び第２筐体２のうち、ユーザが手に持つ側の筐体を特定する筐体特定部として機能する。
【００９７】
なお、第１照度センサー１８及び第２照度センサー１９の代わりに３軸の加速度センサーを使用しても良い。図１９に示されるように、ユーザが右手４００ａで第１筐体１を持つ場合には、図２２に示されるように、第１筐体１が下がる傾向がある。言い換えれば、第１筐体１における、第１表示画面４ａ側の主面１ｂから、第１筐体１における、当該主面１ｂとは反対側の主面１ｃに向かう方向５００に、第１筐体１における、側面１ａ側の端部１ｄが移動する傾向がある。制御部１２は、３軸の加速度センサーの出力信号から、第１筐体１が下がっていることを特定すると、ユーザが第１筐体１を持っていると判断する。
【００９８】
一方で、図２０に示されるように、ユーザが左手４００ｂで第２筐体２を持つ場合には、図２３に示されるように、第２筐体２が下がる傾向がある。言い換えれば、第２筐体２における、第２表示画面４ａ側の主面２ｂから、第２筐体２における、当該主面２ｂとは反対側の主面２ｃに向かう方向５０１に、第２筐体２における、側面２ａ側の端部２ｄが移動する傾向がある。制御部１２は、３軸の加速度センサーの出力信号から、第２筐体２が下がっていることを特定すると、ユーザが第２筐体２を持っていると判断する。
【００９９】
また、第１筐体１及び第２筐体２のうち、ユーザが手で持つ側の筐体を特定するために、第１照度センサー１８及び第２照度センサー１９と、３軸の加速度センサーとを使用しても良い。つまり、制御部１２は、第１照度センサー１８で検出される明るさがしきい値よりも小さく、かつ３軸の加速度センサーの出力信号から、第１筐体１が下がっていることを特定すると、ユーザが第１筐体１を持っていると判断する。また、制御部１２は、第２照度センサー１９で検出される明るさがしきい値よりも小さく、かつ３軸の加速度センサーの出力信号から、第２筐体２が下がっていることを特定すると、ユーザが第２筐体２を持っていると判断する。
【０１００】
なお、制御部１２がアイコン通常表示モードで動作している場合において、一方の表示部３が表示するモード切り替えボタン２１０が操作された際には、当該一方の表示部３にアプリアイコン２００を表示し、その後、ホーム画面が表示されなくなり、再度、ホーム画面が表示される際には、そのときにユーザが手で持つ側の筐体に収納されている表示部３にアプリアイコン２００を表示しても良い。
【０１０１】
＜第２の変形例＞
表示アイコン数制限モードにおいてアプリアイコン２００が表示される表示部３をユーザが指定できるようにしても良い。具体的には、ユーザが、第１表示画面４ａ及び第２表示画面４ｂの少なくとも一方を操作することによって、表示アイコン数制限モードにおいてアプリアイコン２００を表示する表示部３を指定できるようにしても良い。ユーザによって、アプリアイコン２００を表示する表示部３が指定されると、指定された表示部３を特定する特定情報が記憶部１３に記憶される。表示アイコン数制限モードで動作する制御部１２は、記憶部１３内の特定情報が示す表示部３にアプリアイコン２００を表示させる。
【０１０２】
＜第３の変形例＞
上述の表示アイコン数制限モードにおいては、第１表示部３ａ及び第２表示部３ｂのうち、アプリアイコン２００を表示しない側の表示部３の表示画面４の輝度を低下させても良い。表示部３の表示画面４の輝度を低下させるためには、表示部３が備えるバックライトの輝度を低下させる。
【０１０３】
このように、アプリアイコン２００を表示しない表示部３の表示画面４の輝度を低下させることによって、携帯型電子機器１００の消費電力を低減することができる。
【０１０４】
また、表示部３の表示画面４の輝度を低下させる際には、バックライトの発光を停止して、当該表示画面４の表示をオフにすることが望ましい。この場合には、携帯型電子機器１００の消費電力をさらに低減することができる。
【０１０５】
＜第４の変形例＞
現在のアプリアイコン２００の数が、所定のしきい値よりも多い場合に、ホーム画面を表示し、制御部１２がアイコン通常表示モードで動作する携帯型電子機器１００が、開状態から閉状態に変化した際には、上述の表示優先度を決定する方法の第１の例のように、対応するアプリケーション１３０の起動頻度に基づいて決定された、アプリアイコン２００の表示優先に基づいて、第１表示画面４ａに表示するアプリアイコン２００を決定しても良い。本変形例で使用されるしきい値は、表示アイコン数制限モードで使用されるしきい値と同様に、例えば、一つの表示部３が表示することが可能なアプリアイコン２００の数（本例では２０個）以下に設定される。
【０１０６】
例えば、本変形例に係るしきい値が“８”であるとすると、現在のアプリアイコン２００の数が“８”よりも多い場合に、図６や図８のような携帯型電子機器１００が開状態から閉状態に変化した際には、制御部１２は、表示すべきアプリアイコン２００のうち、例えば表示優先度が高いものから８個のアプリアイコン２００（つまり、対応するアプリケーション１３０の起動頻度が高いものから８個のアプリアイコン２００）を選択し、図２４に示されるように、当該８個のアプリアイコン２００を第１表示部３ａに表示させる。
【０１０７】
また、現在のアプリアイコン２００の数が、所定のしきい値よりも多い場合に、ホーム画面を表示し、制御部１２がアイコン通常表示モードで動作する携帯型電子機器１００が、開状態から閉状態に変化した場合には、上述の表示優先度を決定する方法の第２の例のように、携帯型電子機器１００が位置する場所の種類に基づいて決定された、アプリアイコン２００の表示優先度に基づいて、第１表示画面４ａに表示するアプリアイコン２００を決定しても良い。
【０１０８】
図２４に示されるように、表示優先度が高い複数のアプリアイコン２００が第１表示部３ａに表示されている状態において、第１操作部１６のホームキー１６ａが操作されると、第１表示部３ａの表示は通常表示に戻るようになる。
【０１０９】
以上のように、表示すべきアプリアイコン２００の数が多い場合において、携帯型電子機器１００が開状態から閉状態に変化した際に、アプリケーション１３０の起動頻度や携帯型電子機器１００が位置する場所の種類に基づいて決定された表示優先度に基づいてアプリアイコン２００を第１表示部３ａに表示することによって、ユーザは所望のアプリアイコン２００を選択し易くなる。
【０１１０】
なお、本例においても、第１表示部３ａに表示されるホーム画面を上側にスクロールさせることによって、表示すべき複数のアプリアイコン２００が、表示優先度が高いものから順に表示されるようになる。また、上述の図１３，１４に示されるように、ホーム画面のページを切り替えることによって、表示すべきアプリアイコン２００のすべてが表示可能となるようにした場合には、ホーム画面のページを切り替えることによって、表示すべき複数のアプリアイコン２００が、表示優先度が高いものから順に表示されるようになる。
【０１１１】
＜その他の変形例＞
上述の実施の形態では、本願発明を携帯電話機に適用する場合を例にあげて説明したが、本願発明は携帯電話機以外の携帯型電子機器にも適用することができる。例えば、本願発明は、携帯型のゲーム機、ノート型のパーソナルコンピュータ、電子ブック、ポータブルナビゲーションシステム、携帯型の音楽プレーヤなどに適用することができる。
【０１１２】
また、本願発明は、上述の携帯型電子機器１００とは異なり、２つの表示画面が常に同時に視認される携帯型電子機器に対しても適用することができる。また、本願発明は、開状態では２つの表示画面が同時に視認されるものの、閉状態では２つの表示画面のすべてが視認されないような携帯型電子機器に対しても適用することができる。例えば、２つの筐体を互いに重なるように折り畳むことができる２つ折り型の携帯電話機やノート型のパーソナルコンピュータにおいて、当該２つの筐体の内側面のそれぞれに表示画面が形成されたものに対しても、本願発明を適用することができる。
【符号の説明】
【０１１３】
１  第１筐体
２  第２筐体
３  表示部
３ａ  第１表示部
３ｂ  第２表示部
４  表示画面
４ａ  第１表示画面
４ｂ  第２表示画面
１２  制御部
１３  記憶部
１５  位置取得部
１８  第１照度センサー
１９  第２照度センサー
１００  携帯型電子機器
１３０  アプリケーションプログラム
２００  アプリアイコン
【図１】
2012155408.tif 000003
【図２】
2012155408.tif 000004
【図３】
2012155408.tif 000005
【図４】
2012155408.tif 000006
【図５】
2012155408.tif 000007
【図６】
2012155408.tif 000008
【図７】
2012155408.tif 000009
【図８】
2012155408.tif 000010
【図９】
2012155408.tif 000011
【図１０】
2012155408.tif 000012
【図１１】
2012155408.tif 000013
【図１２】
2012155408.tif 000014
【図１３】
2012155408.tif 000015
【図１４】
2012155408.tif 000016
【図１５】
2012155408.tif 000017
【図１６】
2012155408.tif 000018
【図１７】
2012155408.tif 000019
【図１８】
2012155408.tif 000020
【図１９】
2012155408.tif 000021
【図２０】
2012155408.tif 000022
【図２１】
2012155408.tif 000023
【図２２】
2012155408.tif 000024
【図２３】
2012155408.tif 000025
【図２４】
2012155408.tif 000026